(57)【要約】【課題】段ボール板を折り曲げて組立てた段ボール箱の取っ手の強度を高める。【解決手段】左端及び右から２番目の壁部４に連続して設けられた蓋部７には第１の取っ手部１０を連続して形成し、左から２番目の壁部４及び右端の壁部４に連続して設けられた蓋部７には第２の取っ手部１１を連続して形成し、段ボール板２を折り曲げて段ボール箱１を組立てたとき、重ね合わせた第１の取っ手部１０と第２の取っ手部１１の矢印で示すフルート方向が交差することで、本構成を有しない場合に比べて、取っ手穴１４似て指を通して取っ手９をもった場合でも、取っ手９が破れにくく、段ボールが剥がれにくい。【選択図】図１
2012188144.tif 000002
【特許請求の範囲】
【請求項１】
箱体の側壁となる複数の壁部と、
前記箱体の底板となり前記複数の壁部の少なくとも１つの壁部に連続する底部と、
前記複数の壁部のうちの少なくとも１つの壁部に設けられた又は当該少なくとも１つの壁部に連続して設けられた第１の取っ手部と、
前記少なくとも１つの壁部と異なる壁部に連続して設けられ前記第１の取っ手部と重ね合わせたとき当該第１の取っ手部のフルート方向とフルート方向が交差する第２の取っ手部と、
を備えた箱体組立用段ボール板。
【請求項２】
前記第２の取っ手部が連続して設けられた壁部は前記第１の取っ手部が設けられた又は当該第１の取っ手部が連続して設けられた壁部に隣合う壁部であることを特徴とする請求項１に記載の箱体組立用段ボール板。
【請求項３】
前記第２の取っ手部と当該第２の取っ手部が連続して設けられた壁部との間に蓋部を設けたことを特徴とする請求項１又は２に記載の箱体組立用段ボール板。
【請求項４】
前記第１の取っ手部が前記少なくとも１つの壁部に連続して設けられている場合、当該第１の取っ手部と当該第１の取っ手部が連続して設けられている壁部との間に蓋部を設けたことを特徴とする請求項１乃至３の何れか一項に記載の箱体組立用段ボール板。
【請求項５】
前記請求項１乃至４の何れか一項に記載の箱体組立用段ボール板の壁部、底部、第１の取っ手部、第２の取っ手部を折り曲げて組立てた段ボール箱。
【発明の詳細な説明】
【技術分野】
【０００１】
本発明は、箱体組立用段ボール板及び段ボール箱に関する。
【背景技術】
【０００２】
一般に、段ボール箱は、展開図状に連続した段ボール板を折り曲げて組立てられている。下記特許文献１では、段ボール板を折り曲げて組立てた段ボール箱の取っ手穴に、段ボール板と別体の高強度取っ手部材を嵌め込んで使用することとしている。
【先行技術文献】
【特許文献】
【０００３】
【特許文献１】実用新案登録第３１４２７９８号公報
【発明の概要】
【発明が解決しようとする課題】
【０００４】
本発明の目的は、段ボールを折り曲げて組立てた段ボール箱の取っ手部の強度を高めることにある。
【課題を解決するための手段】
【０００５】
請求項１に記載の発明は、箱体の側壁となる複数の壁部と、前記箱体の底板となり前記複数の壁部の少なくとも１つの壁部に連続する底部と、前記複数の壁部のうちの少なくとも１つの壁部に設けられた又は当該少なくとも１つの壁部に連続して設けられた第１の取っ手部と、前記少なくとも１つの壁部と異なる壁部に連続して設けられ前記第１の取っ手部と重ね合わせたとき当該第１の取っ手部のフルート方向とフルート方向が交差する第２の取っ手部と、を備えた箱体組立用段ボール板である。
【０００６】
請求項２に記載の発明は、前記第２の取っ手部が連続して設けられた壁部は前記第１の取っ手部が設けられた又は当該第１の取っ手部が連続して設けられた壁部に隣合う壁部であることを特徴とする請求項１に記載の箱体組立用段ボール板である。
請求項３に記載の発明は、前記第２の取っ手部と当該第２の取っ手部が連続して設けられた壁部との間に蓋部を設けたことを特徴とする請求項１又は２に記載の箱体組立用段ボール板である。
【０００７】
請求項４に記載の発明は、前記第１の取っ手部が前記少なくとも１つの壁部に連続して設けられている場合、当該第１の取っ手部と当該第１の取っ手部が連続して設けられている壁部との間に蓋部を設けたことを特徴とする請求項１乃至３の何れか一項に記載の箱体組立用段ボール板である。
請求項５に記載の発明は、前記請求項１乃至４の何れか一項に記載の箱体組立用段ボール板の壁部、底部、第１の取っ手部、第２の取っ手部を折り曲げて組立てた段ボール箱である。
【発明の効果】
【０００８】
請求項１に記載の発明によれば、本構成を有しない場合に比べて、段ボール板を折り曲げて組立てた箱体の取っ手部の強度が高い。
請求項２に記載の発明によれば、重ね合わせた第１の取っ手部のフルート方向と第２の取っ手部のフルート方向とが交差する。
請求項３に記載の発明によれば、第１の取っ手部と第２の取っ手部を重ね合わせると壁部に蓋部を被せることができる。
【０００９】
請求項４に記載の発明によれば、第１の取っ手部と第２の取っ手部を重ね合わせると壁部に蓋部を被せることができる。
請求項５に記載の発明によれば、本構成を有しない場合に比べて、段ボール板を折り曲げて組立てた段ボール箱の取っ手部の強度が高い。
【図面の簡単な説明】
【００１０】
【図１】本発明の箱体組立用段ボール板及び段ボール箱の第１実施形態を示す段ボール板の正面図（展開図）である。
【図２】図１の段ボール板を折り曲げて組立てた段ボール箱の斜視図である。
【図３】図２の段ボール箱の取っ手部の詳細図である。
【図４】段ボール板の説明図である。
【図５】本発明の箱体組立用段ボール板及び段ボール箱の第２実施形態を示す段ボール板の正面図（展開図）である。
【図６】図５の段ボール板を折り曲げて組立てた段ボール箱の斜視図である。
【図７】従来の段ボール箱の一例を示す斜視図である。
【図８】図７の段ボール箱を展開した段ボール板の正面図（展開図）である。
【図９】図７の段ボール箱の取っ手部の詳細図である。
【発明を実施するための形態】
【００１１】
以下、本発明の箱体組立用段ボール板及び段ボール箱の実施形態について図面を用いて説明する。
図１は、本発明の箱体組立用段ボール板及び段ボール箱の第１実施形態を示す段ボール板２の正面図であり、図２は、図１の段ボール板を折り曲げて組立てた段ボール箱の斜視図である。図１は、図２の段ボール箱を段ボール板に展開した展開図と同等である。図２の段ボール箱１は直方体であるので、段ボール板２は、当該直方体の段ボール箱１の４つの側壁３を構成する４つの壁部４を有する。また、前記４つの壁部４の夫々には、段ボール箱１の図示しない底板を構成する底部５が図１の下方に連続して設けられている。また、前記４つの壁部４の夫々には、段ボール箱１の蓋板６を構成する蓋部７が図１の上方に連続して設けられている。これらの壁部４、底部５、蓋部７を、図１に示す破線で山折りに折り曲げることで図２の段ボール箱１が組立てられる。なお、図１の右端の壁部４の右方には、同図の左端の壁部４に接続するためののりしろ８が連続して設けられている。
【００１２】
前記４つの壁部４の夫々に連続する４つの蓋部７の夫々には、図２の段ボール箱１の取っ手９を構成する取っ手部１０、１１が連続して設けられているが、本実施形態では、例えば図１の左端の壁部４及び蓋部７に連続する取っ手部１０を第１の取っ手部１０、左から２番目の壁部４及び蓋部７に連続する取っ手部１１を第２の取っ手部１１、右から２番目の壁部４及び蓋部７に連続する取っ手部１０を第１の取っ手部１０、右端の壁部４及び蓋部７に連続する取っ手部１１を第２の取っ手部１１とする。取っ手部１０、１１は、全て図１の破線を谷折りに折り曲げて段ボール箱１の取っ手９を組立てる。取っ手部１０、１１には、手指を通る取っ手穴１４が形成されている。
【００１３】
図３は、このようにして組立てられた段ボール箱１の取っ手９のうち、例えば図１の左端の壁部４及び蓋部７に連続して設けられた第１の取っ手部１０と、図１の左から２番目の壁部４及び蓋部７に連続して設けられた第２の取っ手部１１とを重ね合わせた状態の詳細図である。段ボール板２は、例えば図４に示すように、ライナーと呼ばれる表裏面の平坦な外側紙１２と、２枚の外側紙１２の間で波打つように湾曲されているフルートと呼ばれる中芯１３とを積層して構成される。この中芯１３の波の進行方向（位相方向）と直交方向をフルート方向（図４の紙面垂直方向）と定義すると、段ボール板２は、フルート方向に応力が作用すると破れやすく、フルート方向と直交方向に応力が作用すると外側紙１２と中芯１３が剥がれやすい、という特性がある。
【００１４】
図７は、図２に示す本実施形態の段ボール箱１と同形状の従来の段ボール箱１の斜視図であり、図８は、図７の従来の段ボール箱１を展開した段ボール板２の正面図である。なお、本実施形態の段ボール箱及び段ボール板と同等の構成には同等の符号を付す。例えば、図８の左端の壁部４のフルート方向及び右から２番目の壁部４のフルート方向が図に矢印で示す方向である場合、当該左端の壁部４に連続して設けられた取っ手部１０のフルート方向も右から２番目の壁部４に連続して設けられた取っ手部１０のフルート方向も図８に矢印で示す方向となる。従って、この段ボール板２を折り曲げて組立てられた図７の段ボール箱１の二つの取っ手部１０のフルート方向は、図７又は図９の取っ手詳細図に矢印で示すように同じ方向となる。
【００１５】
この場合、取っ手９には取っ手穴１４が設けられているので、この取っ手穴１４に手指を通して取っ手９を持つと、取っ手９を構成する段ボール板２にはフルート方向への応力が作用する。従って、この場合は、取っ手９が破れやすい。取っ手９の構成上、取っ手９を持ったときに、取っ手９を構成する段ボール板２にフルート方向と直交する方向に応力が作用すると、段ボール板２が剥がれやすい。また、前記特許文献１に記載される段ボール箱では、取っ手穴に個別の高強度取っ手部材を取付けて使用するため、強度的には優れるものの、個別の高強度部材を必要とする。
【００１６】
これに対し、本実施形態の段ボール箱１では、図３に示すように、重ね合わせた第１の取っ手部１０と第２の取っ手部１１のフルート方向が平行でない、即ち交差する方向（直交方向）になる。このように重ね合わせた第１の取っ手部１０のフルート方向と第２の取っ手部１１のフルート方向を交差させるには、第１の取っ手部１０を設ける壁部４と第２の取っ手部１１を設ける壁部４が隣り合っているとよい。
【００１７】
図５は、本発明の箱体組立用段ボール板及び段ボール箱の第２実施形態を示す段ボール板２の正面図であり、図６は、図５の段ボール板２を折り曲げて組立てた段ボール箱１の斜視図である。図５は、図６の段ボール箱１を段ボール板２に展開した展開図と同等である。本実施形態の段ボール箱１も、前記第２実施形態の段ボール箱１と同様に直方体であるので、段ボール板２は、当該直方体の段ボール箱１の４つの側壁３を構成する４つの壁部４を有する。また、前記４つの壁部４の夫々には、前記第１実施形態と同様に、段ボール箱１の図示しない底板を構成する底部５が図１の下方に連続して設けられている。また、本実施形態では、右から２番目の壁部４にのみ、図６の段ボール箱１の蓋板６を構成する蓋部７が図５の上方に連続して設けられている。これらの壁部４、底部５、蓋部７を、図５に示す破線で山折りに折り曲げることで図６の段ボール箱１が組立てられる。なお、図５の右端の壁部４の右方には、前記第１実施形態と同様に、同図の左端の壁部４に接続するためののりしろ８が連続して設けられている。また、蓋部７の図５の上端縁には、図５の左端の壁部４の段ボール箱内側に差し込む差し込み部１５が上方に連続して設けられている。
【００１８】
本実施形態では、直方体の段ボール箱１の長手方向両側の壁部４、つまり図５の左から２番目の壁部４及び右端の壁部４の上端部に取っ手穴１４を形成することにより、各壁部４に第１の取っ手部１０が設けられている。また、蓋部７の図５の左右両端部に第２の取っ手部１１が当該蓋部７に連続して設けられている。これら第２の取っ手部１１では、蓋部７に連続して設けられ且つ図５の左から２番目の壁部４及び右端の壁部４の段ボール箱内側に差し込まれる差し込み部に取っ手穴１４が形成されている。第２の取っ手部１１が連続して設けられている図５の右から２番目の壁部４は、第１の取っ手部１０が設けられている図５の左から２番目の壁部４及び右端の壁部４に隣り合っている。
【００１９】
従って、図５の段ボール板２を折り曲げて図６の段ボール箱１を組立てると、第２の取っ手部１１の差し込み部は図５の左から２番目の壁部４及び右端の壁部４の段ボール箱内側に差し込まれ、当該第２の取っ手部１１と第１の取っ手部１０が重ね合わされて取っ手穴１４が連続する。このとき、例えば図５の壁部４のフルート方向が図の矢印方向である場合、組立てられた段ボール箱１の第１の取っ手部１０と第２の取っ手部１１のフルート方向は図６の矢印方向となり、重ね合わせた第１の取っ手部１０と第２の取っ手部１１のフルート方向が平行でない、即ち交差する方向（直交方向）となる。
【００２０】
なお、前記各実施形態では、直方体の段ボール箱１及び当該直方体の段ボール箱１を展開した段ボール板２のついてのみ詳述したが、段ボール箱の形態は、これに限定されるものではない。また、組立てられる段ボール箱の形態に応じて段ボール板の展開状態も変更される。例えば、組立てられる段ボール箱が三角柱状である場合には、壁部の数は３つとなる。
また、段ボール箱に形成される取っ手の形状も前記実施形態に限定されるものではない。取っ手の形状がどのようなものであった場合でも、重ね合わせた第１の取っ手部のフルート方向と第２の取っ手部のフルート方向が交差するようにすればよい。
【符号の説明】
【００２１】
１  段ボール箱（箱体）
２  段ボール板
３  側壁
４  壁部
５  底部
６  蓋板
７  蓋部
８  のりしろ
９  取っ手
１０  第１の取っ手部
１１  第２の取っ手部
１２  外側紙
１３  中芯
１４  取っ手穴
１５  差し込み部
【図１】
2012188144.tif 000003
【図２】
2012188144.tif 000004
【図３】
2012188144.tif 000005
【図４】
2012188144.tif 000006
【図５】
2012188144.tif 000007
【図６】
2012188144.tif 000008
【図７】
2012188144.tif 000009
【図８】
2012188144.tif 000010
【図９】
2012188144.tif 000011